(57)【要約】【課題】長楕円形扁平型錠剤がより小さいスペース上に収納し得る新規な包装用容器を提供することにある。【解決手段】片面に複数のポケット部２を有する容器部１と該ポケット部２の開口部を閉塞するための台紙部４とからなる包装用容器において、長楕円形扁平型錠剤３が横向きに起こされた状態で収納されるように各ポケット部２が形成されていることを特徴とする長楕円形扁平型錠剤用包装用容器。【選択図】図３
0003122243.tif 000002
【実用新案登録請求の範囲】
【請求項１】
片面に複数のポケット部２を有する容器部１と該ポケット部２の開口部を閉塞するための台紙部４とからなる包装用容器（いわゆるＰＴＰ）において、長楕円形扁平型錠剤３が横向きに起こされた状態で収納されるように各ポケット部２の形状が形成されていることを特徴とする長楕円形扁平型錠剤用包装用容器。
【請求項２】
ポケット部２の形状において、
（ａ）ポケット部２の開口部の短径が長楕円形扁平型錠剤３の厚みに合せた大きさであり、
（ｂ）ポケット部２の開口部の長径が長楕円形扁平型錠剤３の長径に合せた大きさであり、
（ｃ）ポケット部２の深さが長楕円形扁平型錠剤３の短径に合せた大きさであることを特徴とする、
請求項１記載の長楕円形扁平型錠剤用包装用容器。
【請求項３】
請求項１又は２のいずれかに記載の包装用容器に長楕円形扁平型錠剤３が収納されている医薬品。
【考案の詳細な説明】
【技術分野】
【０００１】
本考案は、長楕円形扁平型錠剤用包装用容器に関するものである。
【背景技術】
【０００２】
医薬品等の錠剤やカプセル剤は、ばらばらの状態で瓶の中に収納されているか、又はシート上に形成される１０個程度のポケット部の各々に独立して収納されているのが一般的である。後段の収納方法による包装用容器は、いわゆるＰＴＰ（ＰＲＥＳＳ−ＴＨＲＯＵＧＨ−ＰＡＣＫＡＧＥ）と称されている。該包装用容器は、片面に複数のポケット部を有する容器部と該ポケット部の開口部を閉塞するための台紙部とから構成されている。
【０００３】
ところで、従来から、いわゆるカプレットと称される長楕円形扁平型の錠剤が存在するが、これをＰＴＰのポケット部に収納する場合には、該錠剤はいわば寝かせた状態で収納されている。寝かせた状態とは、簡単には錠剤が単独で最も安定に定置される状態であり、具体的には、長楕円形扁平型錠剤の短径と長径とが台紙部の面に対して平行であるように置かれた状態をいう。
【考案の開示】
【考案が解決しようとする課題】
【０００４】
本考案の目的は、主として、長楕円形扁平型錠剤をより狭いスペースのシート上に収納し得る新規な包装用容器、又は、該包装用容器に長楕円形扁平型錠剤が収納されている医薬品を提供することにある。
【課題を解決するための手段】
【０００５】
本考案者らは、上記の目的を達成するため、鋭意検討を行った結果、上記課題を達成し得る長楕円形扁平型錠剤用包装用容器を見出し、本考案を完成するに至った。
【０００６】
本考案としては、例えば、次のものを挙げることができる。
（１）片面に複数のポケット部２を有する容器部１と該ポケット部２の開口部を閉塞するための台紙部４とからなる包装用容器（いわゆるＰＴＰ）において、長楕円形扁平型錠剤３が横向きに起こされた状態で収納されるように各ポケット部２の形状が形成されていることを特徴とする長楕円形扁平型錠剤用包装用容器。
（２）ポケット部２の形状において、（ａ）ポケット部２の開口部の短径が長楕円形扁平型錠剤３の厚みに合せた大きさであり、（ｂ）ポケット部２の開口部の長径が長楕円形扁平型錠剤３の長径に合せた大きさであり、（ｃ）ポケット部２の深さが長楕円形扁平型錠剤３の短径に合せた大きさであることを特徴とする、上記（１）の長楕円形扁平型錠剤用包装用容器。
【０００７】
また、本考案としては、例えば、上記（１）又は（２）のいずれかの包装用容器に長楕円形扁平型錠剤３が収納されている医薬品を挙げることができる。
【０００８】
本考案において、長楕円形扁平型錠剤３が横向きに起こされた状態とは、台紙部４の面に対して長楕円形扁平錠剤３の短径が平行ではない状態をいい、該短径が台紙部４の面に対して垂直に近く傾いているほど好ましい状態である。具体的には、短径が台紙部４に対して４５度〜１３５度傾いている状態が適当であり、６０度〜１２０度傾いている状態が好ましく、７５度〜１０５度傾いている状態がより好ましい。また、各ポケット部２に収納されている長楕円形扁平型錠剤３の短径の台紙部４の面に対する傾きは、各々同じである必要はない。  
【０００９】
本考案におけるポケット部２の数は、図１のように縦２列１０個である必要はなく、１０個より多くても少なくてもよい。具体的には、ポケット部２の数は、２〜３０個が適当であり、６〜２０個が好ましく、８〜１２個がより好ましい。ポケット２の数が、１０個のものが最も一般的である。
【００１０】
また、ポケット部２は、台紙部４の上に縦２列で存在する必要はない。具体的には、ポケット部は台紙部４上に、縦１〜５列が適当であり、縦２〜４列が好ましい。ポケット部２が、台紙部４上に縦２列で存在するものが最も一般的である。
【００１１】
本考案における長楕円形扁平型錠剤には、同様な形状のカプセル剤等も含み得る。
【００１２】
本考案において、長楕円形扁平型錠剤３の短径とは、該錠剤３を自然に最も安定な状態に置き、該錠剤３を上方から見た場合に、看取される楕円形において直交する二つの径のうち短い方の径をいう。また、長楕円形扁平型錠剤３の長径とは、該錠剤３の短径に直交する長い方の径をいう。長楕円形扁平型錠剤３の厚さとは、該錠剤３を自然に最も安定な状態に置き、該錠剤３を横方向から見たときの該錠剤３の高さをいう。ポケット部２の開口部の短径とは、該ポケット部２の開口部の楕円形において直交する二つの径のうち短い方の径をいう。ポケット部２の開口部の長径とは、該ポケット部２の開口部の短径に直交する長い方の径をいう。ポケット部２の深さとは、開口面に対して垂直方向に該ポケット部２の頂点までの長さをいう。
【考案の効果】
【００１３】
本考案によれば、従来の包装用容器よりも一定のシート上のスペース内に多数の長楕円形扁平型錠剤３を収納することができる。また、従来と同じ数の錠剤を収納する場合、台紙部４として一般に使用されるアルミ箔の使用を低減することができる。アルミ箔は高価であるので、本考案によれば、低コストでＰＴＰに収納された医薬品を製造することができ、コストダウンを図ることができる。さらに、見た目においても従来のものと差別化でき、最近問題となっている医療過誤も軽減され得ると思われる。
【実施例】
【００１４】
以下図面を参照して本考案の実施例を詳細に説明する。
【００１５】
図１は本考案の一実施例の平面図、図２はその底面図、図３はその側面図、図４はその正面図を表す。
【００１６】
本考案に係る包装用容器の一態様は、片面に複数のポケット部２を有するプラスチック製の容器部１と該ポケット部２の開口部を閉塞するアルミ箔からなる台紙部４とから主に構成されている。また、図１〜図４に示すように、各ポケット部２の形状は、長楕円形扁平型錠剤３が横向きに起こされた状態で収納されるように形成されている。
【図面の簡単な説明】
【００１７】
【図１】図１は本考案に係る包装用容器の平面図である。
【図２】図２は本考案に係る包装用容器の底面図である。
【図３】図３は本考案に係る包装用容器の側面図である。
【図４】図４は本考案に係る包装用容器の正面図である。
【符号の説明】
【００１８】
１．容器部
２．ポケット部
３．長楕円形扁平型錠剤
４．台紙部
【図１】
0003122243.tif 000003
【図２】
0003122243.tif 000004
【図３】
0003122243.tif 000005
【図４】
0003122243.tif 000006